(57)【要約】  【課題】  ＰｏＣサービスにおいて、端末のユーザが互いに、発言権を獲得することなく容易に意思を伝達する。  【解決手段】  複数の通信端末がＰｏＣサーバーを介して、パケット通信を用いた半二重通話を実現するＰｏＣサービスにおいて、前記複数の端末間の通信の中継を制御するＰｏＣサーバー２０であって、ＰｏＣサーバー２０に接続されるユーザ端末を管理する管理手段２０ａ、各端末毎のキー操作を操作情報として取得する取得手段２０ｂ、取得した操作情報を管理手段２０ａが管理する端末に送信する送信手段２０ｃを備える。【選択図】  図２
2006135511.tif 000002
【特許請求の範囲】
【請求項１】
複数の端末間におけるパケット通信を用いた半二重通話を実現するＰｏＣサービスにおいて、前記複数の端末間の通信の中継を制御する通信プログラムであって、コンピュータを、
前記サーバーに接続される端末を管理する管理手段、
各端末毎のキー操作を操作情報として取得する取得手段、
取得した操作情報を前記管理手段が管理する端末に送信する送信手段、
として機能させるための通信プログラム。
【請求項２】
前記送信手段は、キー操作と伝達情報を対応付けた記憶手段を参照して、取得した操作情報に対応する伝達情報を前記管理手段が管理する端末に送信する請求項１記載の通信プログラム。
【請求項３】
他端末と、請求項１又は２記載の通信プログラムを搭載するサーバーを介して、パケット通信を用いた半二重通話を行う通信端末であって、
端末のキー操作を操作情報として前記サーバーに送信する送信手段と、
前記サーバーから送信される各端末毎のキー操作を示す操作情報を受信する受信手段と、
を備える通信端末。
【発明の詳細な説明】
【技術分野】
【０００１】
本発明は、ＰｏＣ（push to talk over cellular）サービスにおける通信プログラム及び通信端末に関する。
【背景技術】
【０００２】
ＰｏＣなどの半二重通話では通話を開始する前に、各ユーザが発言権の獲得を行なう。この発言権は、単一ユーザのみが所有することができる。このため、複数のユーザが同時に発言権を獲得することはできない。従って、発言権のないユーザは、発言権を獲得した他のユーザが発言している最中は発言することができず、自分の意思を伝達することができない。
【０００３】
図１１は、ＰｏＣサービスの概略図を示す。ユーザ端末Ａ１１０１、ユーザ端末Ｂ１１０４およびユーザ端末Ｃ１１０５は、呼の制御（SIP; Session Initiation Protocol）やユーザ登録を行なうIMS（IP Multimedia Subsystem）Core１１０２および発言権（Floor）を管理するＰｏＣサーバー１１０３を介して通信を行なう。図１１において、実線は音声およびFloor control（発言権制御）を表し、点線はSIP（呼の制御）を表わす。
【０００４】
ＰｏＣサービスでは半二重通話を行なうため、相手との接続後は通話用ボタンを押している時間だけ相手に音声を届けることができ、通話用ボタンを押している間は相手からの声は聞こえない。したがって会話を行なうためには、お互いに短いやり取りで通話用ボタンを押したり離したりする必要がある。また、ＰｏＣサービスでは１対１のやり取りだけではなく、グループを設定して複数の相手と同時接続することも可能である。この場合は、通話用ボタンを押している端末からの音声が、残りの全端末に送信される（例えば、非特許文献１参照）。
【０００５】
【非特許文献１】「ポック・リリース１．０（ＰｏＣ  Ｒｅｌｅａｓｅ  １．０）  ［３］」、［online］、p.19-21、［平成１６年８月６日検索］、インターネット〈ＵＲＬ：http://www.ericsson.com/mobilityworld/sub/open/technologies/ims_poc/docs/poc_relase_1_0_spec〉
【発明の開示】
【発明が解決しようとする課題】
【０００６】
このように、ＰｏＣは半二重通信であり、参加者の誰かが発言している最中は自分の意見を述べたりすることができない。１対１での通信時には問題はないが、多数の参加者がいる場合は意思を表明する機会が人数に比例して少なくなる。また、参加者全員に意見を求めたい場合、参加者の全てが発言権を取得し発言する必要があり手間がかかる。
【０００７】
従って、従来、参加者の誰かが発言している最中に自分の意思を伝達したい場合は、通常インターネットメールなどのＰｏＣとは別の手段でメッセージを伝達する。この場合、参加者全員に対してメッセージを送るためには全員のアドレスを設定する必要がある。また、メッセージ受信時には、メッセージを見るためにＰｏＣとは別のソフトに切り替える必要がある。したがって、操作が煩雑になる。
【０００８】
本発明は、上記従来の事情に鑑みてなされたものであって、ＰｏＣサービスにおいて、端末のユーザが互いに、発言権を獲得することなく容易に意思を伝達することができる通信プログラム及び通信端末を提供することを目的としている。
【課題を解決するための手段】
【０００９】
本発明の通信プログラムは、複数の端末間におけるパケット通信を用いた半二重通話を実現するＰｏＣサービスにおいて、前記複数の端末間の通信の中継を制御する通信プログラムであって、コンピュータを、前記サーバーに接続される端末を管理する管理手段、各端末毎のキー操作を操作情報として取得する取得手段、取得した操作情報を前記管理手段が管理する端末に送信する送信手段、として機能させるための通信プログラムである。
【００１０】
上記構成によれば、各端末毎のキー操作を示す操作情報を前記管理手段が管理する端末に送信することにより、自端末で、他端末のユーザが行った操作内容を把握することが可能になる為、予めキー操作と伝達情報との対応付けをユーザ間で共有しておけば、端末のユーザは、互いに、発言権を獲得することなく容易に意思を伝達することができる。
【００１１】
また、本発明の通信プログラムは、前記送信手段が、キー操作と伝達情報を対応付けた記憶手段を参照して、取得した操作情報に対応する伝達情報を前記管理手段が管理する端末に送信するものである。上記構成によれば、送信手段が、キー操作と伝達情報を対応付けた記憶手段を参照して、取得した操作情報に対応する伝達情報を前記管理手段が管理する端末に送信することにより、自端末で、他端末のユーザが行った操作に対応する伝達情報を把握することが可能になる為、端末のユーザは、他端末のユーザの意思を即座に把握することが可能になる。
【００１２】
さらに、本発明の通信端末は、他端末と、本発明の通信プログラムを搭載するサーバーを介して、パケット通信を用いた半二重通話を行う通信端末であって、端末のキー操作を操作情報として前記サーバーに送信する送信手段と、前記サーバーから送信される各端末毎のキー操作を示す操作情報を受信する受信手段と、を備える。
【００１３】
上記構成によれば、サーバーから送信される各端末毎のキー操作を示す操作情報を受信することにより、自端末で、他端末のユーザが行った操作内容を把握することが可能になる為、予めキー操作と伝達情報との対応付けをユーザ間で共有しておけば、発言権を獲得することなく容易に意思を伝達することができる。
【発明の効果】
【００１４】
本発明によれば、各端末毎のキー操作を示す操作情報を前記管理手段が管理する端末に送信することにより、自端末で、他端末のユーザが行った操作内容を把握することが可能になる為、予めキー操作と伝達情報との対応付けをユーザ間で共有しておけば、端末のユーザは、互いに、発言権を獲得することなく容易に意思を伝達することができる。
【発明を実施するための最良の形態】
【００１５】
以下、複数の通信端末間で、ＰｏＣサーバーを介してパケット通信を用いた半二重通話を実現するＰｏＣサービスについて説明する。ＰｏＣサービスにおいて、ＰｏＣサーバーは、ＰｏＣサーバーに接続される通信端末の識別情報を収集することにより、どの通信端末がＰｏＣサーバーに接続されているかを示すプレゼンス情報を管理する。
【００１６】
（第１の実施形態）
図１は、本発明の第１の実施形態を説明するためのＰｏＣサービスにおけるユーザ端末の内部構成図である。図１に示すユーザ端末は、数字キー１３と、表示部１４と、タイマー１５と、マイク１１と、スピーカー１２と、Floor control（発言権制御）部１６と、通話用キー１７と、SIP制御部１９と、通信制御部１８とを備える。
【００１７】
数字キー１３は、ユーザが入力操作を行うためのキーである。表示部１４は、液晶ディスプレー等で構成される。タイマー１５は、通話開始後の経過時間を計測する。マイク１１は、音声入力を行うためのものである。スピーカー１２は、音声出力を行なうためのものである。発言権制御部１６は、発言権の要求およびその応答を管理する。通話用キー１７は、発言するときに押下するためのキーである。SIP制御部１９は、通話開始の制御等を行なう。通信制御部１８は、送信手段１８ａと、受信手段１８ｂとを備え、ネットワークを介したＰｏＣサーバーとのパケット通信を制御する。送信手段１８ａは、ユーザ端末のキー操作を操作情報としてＰｏＣサーバーに送信する。受信手段１８ｂは、ＰｏＣサーバーから送信される各ユーザ端末毎のキー操作を示す操作情報を受信する。なお、通話用キー１７は、専用のキーとしてもよいし、例えば、カメラ撮影用キーと共用することも可能であるにしてもよいし、他のいずれのキーと兼用しても構わない。
【００１８】
図２は、本実施形態のＰｏＣサービスにおけるＰｏＣサーバーの機能を示す構成図である。図２に示すように、ＰｏＣサーバー２０は、複数の通信端末間におけるパケット通信を用いた半二重通話を実現するＰｏＣサービスにおいて、複数の端末間の通信の中継を制御する。ＰｏＣサーバー２０は、管理手段２０ａと、取得手段２０ｂと、送信手段２０ｃとを備える。管理手段２０ａは、サーバー２０に接続される通信端末を管理する。取得手段２０ｂは、各端末毎のキー操作を操作情報として取得する。送信手段２０ｃは、取得した操作情報を管理手段２０ａが管理する通信端末に送信する。
【００１９】
図３は、本実施形態のＰｏＣサービスにおけるユーザ端末の表示部１４に表示される画面遷移例を示す。本実施形態において、図１に示すユーザ端末は、数字キー１３の押下時に、何番の数字キー１３を押下しているかという操作情報をＰｏＣサーバに送信し、数字キー１３の押下を解除した時に、数字キー１３の押下を解除したという操作情報をＰｏＣサーバに送信する。
【００２０】
図３（ａ）に示すように、ユーザ端末「brother」、「father」、「mother」および「sister」がＰｏＣにより通話を行なっている場合に、事前に、ある質問に対して「はい」の場合は数字キー「１」を、「いいえ」の場合は数字キー「２」を押下するように指示することにより、予めキー操作と伝達情報との対応付けをユーザ間で共有しておく。
【００２１】
そして、その質問の後で、「Brother」が数字キー「１」を押下し、「Father」が数字キー「２」を押下し、「Sister」が数字キー「１」を押下し、「Mother」はいずれのキーも押下しないとする。この場合、各端末毎のキー操作内容を示す操作情報がＰｏＣサーバーに送信され、操作情報がＰｏＣサーバーから各ユーザ端末に送信される。これにより、各端末の画面が自動で更新される。そして、図３（ｂ）に示すように、各ユーザ端末の画面において、「Brother」には「１」が表示され、「Father」には「２」が表示され、「Sister」には「１」が表示される。「Mother」には何の表示も行なわれない。また、全員が数字キー１３の押下を解除すると、操作情報がＰｏＣサーバーを介して各端末に送信され、図３（ｃ）に示すように、数字キー１３が押下される前の画面に戻る。
【００２２】
図４は、ユーザ端末３１（ＵＥ＃１）が数字キー１３を押下してからユーザ端末３３（ＵＥ＃２）に操作情報が伝達されるまでのシーケンスを示す。
【００２３】
ユーザ端末３１は、自分の意思を伝達したい場合に、「１」〜「９」の数字キー１３を押下する（Press 1-9 Button：ステップＳ３０１）。このときユーザ端末３１は、いずれの数字キーを押下したかを示す操作情報（Pressing button information）をＲＴＣＰ（Real-time Transport Protocol / Control Protocol）パケットに付加してＰｏＣサーバー３２に送信する（ステップＳ３０２）。
【００２４】
ＰｏＣサーバー３２は、ユーザ端末３１からの操作情報を受信すると、ＰｏＣサーバー３２が管理する各ユーザ端末３１，３３に対して、操作情報を含むＲＴＣＰパケットを送信する（ステップＳ３０３，Ｓ３０４）。各ユーザ端末３１，３３は、受信したＲＴＣＰパケットを解析し、操作情報を画面に反映させる（Pressing Button Notification：Ｓ３０５、Ｓ３０６）。
【００２５】
図５は、上記シーケンスで使用されるＲＴＣＰのデータフォーマットを示す。このデータフォーマットはPoC Release 2.0に準拠したものである。
本実施形態では、ＲＴＣＰデータフォーマットの“Subtype”ヘッダがとりうる値のうち、PoC Release 2.0で未定義のものを操作情報の送受信用に割り当てる。押下されたキーの種類、および各ユーザ端末に表示する文字列については、“application-dependent data”の中で表現できるように定義する。各ユーザ端末はその定義に従ってＲＴＣＰパケットを解析し、表示を行なう。また、ＰｏＣサーバー３２がＲＴＣＰデータを書き換える必要がある場合は“application-dependent data”部分のみを書き換えることとする。
【００２６】
図６は、ユーザ端末３１が押下していた数字キー１３の押下を解除してからユーザ端末３３（ＵＥ＃２）に数字キー１３のリリース情報が伝達されるまでのシーケンスを示す。
【００２７】
ユーザ端末３１は、キー操作による情報の伝達が終了すると、「１」〜「９」の数字キー１３の押下を解除（リリース）する（Release Button：ステップＳ５０１）。このときユーザ端末３１は、数字キーの押下を解除したことを示す操作情報（Releasing button information）をＲＴＣＰ（Real-time Transport Protocol / Control Protocol）パケットに付加してＰｏＣサーバー３２に送信する（ステップＳ５０２）。
【００２８】
ＰｏＣサーバー３２は、ユーザ端末３１から操作情報を受信すると、ＰｏＣサーバー３２が管理する各ユーザ端末３１，３３に対して、操作情報を含むＲＴＣＰパケットを送信する（ステップＳ５０３，Ｓ５０４）。各ユーザ端末３１，３３は、受信したＲＴＣＰパケットを解析し、操作情報を画面に反映させる（Releasing Button Notification：Ｓ５０５，Ｓ５０６）。上記シーケンスで使用されるＲＴＣＰのデータフォーマットは、図５に示すデータフォーマットと同様である。
【００２９】
このように、本実施形態のＰｏＣサービスによれば、予めキー操作と伝達情報との対応付けをユーザ間で共有しており、ＰｏＣサーバーが取得した操作情報をＰｏＣサーバーが管理する端末に送信することにより、自端末で、他端末のユーザが行った操作内容を把握することが可能になる為、端末のユーザは、発言権を獲得することなく容易に意思を伝達することができる。
【００３０】
（第２の実施形態）
本実施形態におけるユーザ端末の内部構成は図１に示す構成と略同様であるため説明を省略する。
【００３１】
図７は、本実施形態のＰｏＣサービスにおけるユーザ端末の表示部１４に表示される画面遷移例を示す。本実施形態において、図１に示すユーザ端末は、キー操作と伝達情報との対応付けを内部に記憶する。
【００３２】
図７（ａ）に示すように、事前に、ユーザ端末「Brother」において、端末内で記憶するキー操作と伝達情報との対応付けを、数字キー「１」を押下したときに「発言したい」というメッセージを送信し、数字キー「２」を押下したときにある意見に「賛成」というメッセージを送信し、数字キー「３」を押下したときにある意見に「反対」というメッセージを送信するように設定する。
【００３３】
ユーザ端末「brother」、「father」、「mother」および「sister」がＰｏＣにより通話を開始（トークセッションを開始）すると、まず、全てのユーザ端末の画面に、図７（ｂ）に示すように、各端末を識別する文字等が表示される。
【００３４】
次に、「Brother」で数字キー「２」が押下されると、数字キー「２」を押下したという操作情報及びこの操作情報に対応する伝達情報「賛成」が、ＰｏＣサーバーを介して他の全ての端末に送信される。そして、図７（ｃ）に示すように、全端末の画面に、「賛成」という伝達情報を示す吹き出しが表示される。さらに、「Brother」で数字キー「２」の押下が解除されると、数字キー「２」の押下を解除したという操作情報が、ＰｏＣサーバーを介して他の全ての端末に送信される。そして、図７（ｄ）に示すように、全端末の画面から吹き出しが消える。
【００３５】
次に、複数のユーザ端末にキー操作と伝達情報との対応付けを共有させる方法について説明する。キー操作と伝達情報との対応付けを全ての端末で共有することにより、操作情報のみを送信して、伝達情報を他の端末に把握させることができる。
【００３６】
図８は、複数のユーザ端末にキー操作と伝達情報との対応付けを共有させる方法（Ａ）を示すシーケンスである。方法（Ａ）では、ＰｏＣによる通話開始（トークセッション（Talk session）開始）時に送信するＳＩＰインバイト信号（SIP INVITE）のボディ部に、キー操作と伝達情報との対応付けを記述し送信する。
【００３７】
例えば、図８のユーザ端末７１（ＵＥ Ａ）でキー操作と伝達情報との対応付けを定義した場合を考える。このとき以下の手順で、キー操作と伝達情報との対応付けを示す対応情報をユーザ端末７４（ＵＥ Ｂ）に伝達する。ユーザ端末７１は、INVITEメッセージのボディ部に対応情報を記述し、ＰｏＣサーバー７２に送信する（ステップＳ７０１）。
【００３８】
ＰｏＣサーバー７２は、対応情報が付加されたINVITEメッセージをＰｏＣサーバー７３（ＰｏＣＳＡ）に送信し（ステップＳ７０２）、ＰｏＣサーバー７３は対応情報が付加されたINVITEメッセージをユーザ端末７４に送信する（ステップＳ７０３）。ユーザ端末７４は、INVITEメッセージを受信すると受信メッセージの解析を行い、対応情報を作成する。
【００３９】
以降、各ユーザ端末は、操作内容と生成した対応情報とを用いてＲＴＣＰパケットを作成し、各ユーザ端末に送信する。尚、このとき、対応情報は各ユーザ端末に保持されているので、ＲＴＣＰパケットに、対応情報を参照して特定した伝達情報を付加しなくてもよい。この場合、送信する情報量を低減することができる。また、ＰｏＣにおける通話終了時に、各ユーザ端末に保持していた対応情報を破棄する。
【００４０】
このように、本実施形態のＰｏＣサービスによれば、ＰｏＣサーバーが取得した操作情報及び操作情報に対応する伝達情報をＰｏＣサーバーが管理する端末に送信することにより、自端末で、他端末のユーザが行った操作に対応する伝達情報を把握することができる為、端末のユーザは、発言権を持っていない他のユーザの意思を即座に把握できる。
【００４１】
（第３の実施形態）
本実施形態におけるユーザ端末の内部構成は図１に示す構成と略同様であるため説明を省略する。
【００４２】
図９は、本実施形態のＰｏＣサービスにおけるユーザ端末の表示部１４に表示される画面遷移例を示す。本実施形態では、トークセッション（ＰｏＣサービスにおいて複数端末で行われる会議）のグループを設定する。本実施形態においては、トークセッション毎に事前に設定した、キー操作と伝達情報との対応付けを複数端末で共有する。
【００４３】
図９（ａ）は、グループを設定したセッションオーナーの画面を示す。セッションオーナーは、そのグループで使用するキー操作と伝達情報との対応付けを設定する権限を有するユーザである。以下、事前に、数字キー「１」には「発言したい」というメッセージを対応させ、数字キー「２」には「そうそう」というメッセージを対応させ、数字キー「３」には「そんなー」というメッセージを対応させる場合の例を示す。
【００４４】
ユーザ端末「brother」、「father」、「mother」および「sister」でグループを設定し、トークセッションを開始する場合、全てのユーザ端末の画面に、図９（ｂ）に示すように、各端末を識別する文字等が表示される。また、トークセッションを開始するユーザがセッションに参加したしたときに、キー操作と伝達情報との対応付けを示す対応情報がＰｏＣサーバーに送信される。
【００４５】
「Brother」で数字キー「２」が押下されると、数字キー「２」を押下したという操作情報が、ＰｏＣサーバーを介して他のすべての端末に送信される。そして、図９（ｃ）に示すように、全端末の画面の「Brother」の位置に、操作情報に対応する「そうそう」という伝達情報を示す吹き出しが表示される。また、「Brother」で数字キー「２」の押下を解除すると、数字キー「２」の押下を解除したという操作情報が、ＰｏＣサーバーを介して他の全ての端末に送信される。そして、図９（ｄ）に示すように、全端末の画面から吹き出しが消える。
【００４６】
図１０は、トークセッションのグループにおいて、キー操作と伝達情報との対応付けを共有させる方法（Ｂ）を示す説明図である。方法（Ｂ）では、セッションオーナーは、キー操作と伝達情報との対応付けを示す対応情報を属性としてグループ（Group）情報に追加し、グループ登録時にこの対応情報をＰｏＣサーバー３２に保存する。
【００４７】
対応情報をもつグループでＰｏＣによる通話を行っているときに、ユーザ端末１００１（ＵＥ Ａ）からＰｏＣサーバー３２に対して操作情報が送信された場合（図４のステップＳ３０２の時点）、ＰｏＣサーバー３２は内部に保持する対応情報を参照し、受信した操作情報に、対応する伝達情報を付加して各ユーザ端末１００２（ＵＥ Ｂ）に送信する。
【００４８】
このように、本実施形態のＰｏＣサービスによれば、ＰｏＣサーバーが取得した操作情報及び操作情報に対応する伝達情報をＰｏＣサーバーが管理する端末に送信することにより、自端末で、グループ内の他端末のユーザが行った操作に対応する伝達情報を把握することができる為、端末のユーザは、発言権を持っていない他のユーザの意思を即座に把握できる。また、本実施形態のＰｏＣサービスによれば、伝達情報をセッションオーナーが事前に設定した内容に限定することができるので、不適切な発言（ＮＧワード）等をなくすことができる。
【産業上の利用可能性】
【００４９】
本発明は、各端末毎のキー操作を示す操作情報を前記管理手段が管理する端末に送信することにより、自端末で、他端末のユーザが行った操作内容を把握することが可能になる為、予めキー操作と伝達情報との対応付けをユーザ間で共有しておけば、端末のユーザは、互いに、発言権を獲得することなく容易に意思を伝達することができる効果を有し、ＰｏＣサービスにおける通信プログラム及び通信端末等に有用である。
【図面の簡単な説明】
【００５０】
【図１】本発明の第１の実施形態を説明するためのＰｏＣサービスにおけるユーザ端末の内部構成図
【図２】本実施形態のＰｏＣサービスにおけるＰｏＣサーバーの機能を示す構成図
【図３】本実施形態のＰｏＣサービスにおけるユーザ端末の表示部１４に表示される画面遷移例を示す図
【図４】ユーザ端末３１（ＵＥ＃１）が数字キー１３を押下してからユーザ端末３３（ＵＥ＃２）に操作情報が伝達されるまでのシーケンスを示す図
【図５】図４のシーケンスで使用されるＲＴＣＰのデータフォーマット
【図６】ユーザ端末３１が押下していた数字キー１３の押下を解除してからユーザ端末３３（ＵＥ＃２）に数字キー１３のリリース情報が伝達されるまでのシーケンスを示す図
【図７】本実施形態のＰｏＣサービスにおけるユーザ端末の表示部１４に表示される画面遷移例を示す図
【図８】複数のユーザ端末にキー操作と伝達情報との対応付けを共有させる方法（Ａ）を示すシーケンス
【図９】本実施形態のＰｏＣサービスにおけるユーザ端末の表示部１４に表示される画面遷移例を示す図
【図１０】トークセッションのグループにおいて、キー操作と伝達情報との対応付けを共有させる方法（Ｂ）を示す説明図
【図１１】ＰｏＣサービスの概略図
【符号の説明】
【００５１】
１１  マイク
１２  スピーカー
１３  数字キー
１４  表示部
１５  タイマー
１６  Floor control部
１７  通話用キー
１８  ＳＩＰ制御部
１８ａ  送信手段
１８ｂ  受信手段
１９  通信制御部
２０，３２，１１０３  Ｐ０Ｃサーバー
２０ａ  管理手段
２０ｂ  取得手段
２０ｃ  送信手段
３１  ユーザ端末（ＵＥ＃1）
３３  ユーザ端末（ＵＥ＃2）
７１，１００１  ユーザ端末（ＵＥ Ａ）
７２  ＰｏＣサーバーＡ
７３  ＰｏＣサーバーＢ
７４，１１０２  ユーザ端末（ＵＥ Ｂ）
１１０１  ユーザ端末Ａ
１１０２  ＩＭＳ  Ｃｏｒｅ
１１０４  ユーザ端末Ｂ
１１０５  ユーザ端末Ｃ
【図１】
2006135511.tif 000003
【図２】
2006135511.tif 000004
【図３】
2006135511.tif 000005
【図４】
2006135511.tif 000006
【図５】
2006135511.tif 000007
【図６】
2006135511.tif 000008
【図７】
2006135511.tif 000009
【図８】
2006135511.tif 000010
【図９】
2006135511.tif 000011
【図１０】
2006135511.tif 000012
【図１１】
2006135511.tif 000013